(57)【要約】【課題】１度の読み取り動作で判定結果およびその原稿の画像データを取得し、判定結果に応じて最適な画像処理を施すことができるようにする。【解決手段】原稿を読み取って電子画像データを得る画像読取手段と、上記画像読取手段によって読み取られた画像データから、カラー原稿かモノクロ原稿かを含む属性を判別する判別手段と、上記画像読取手段によって読み取られた画像データに対して、所定のデータ特性に補正を施す読取画像補正手段と、上記読取画像補正手段によって補正を施した画像データを記憶する記憶手段と、上記記憶手段に記憶された画像データを、出力する特性と上記判別手段の出力に応じて画像処理を施す画像処理手段とを備える。【選択図】図１
2007116272.tif 000002
【特許請求の範囲】
【請求項１】
原稿を読み取って電子画像データを得る画像読取手段と、
上記画像読取手段によって読み取られた画像データから、カラー原稿かモノクロ原稿かを含む属性を判別する判別手段と、
上記画像読取手段によって読み取られた画像データに対して、所定のデータ特性に補正を施す読取画像補正手段と、
上記読取画像補正手段によって補正を施した画像データを記憶する記憶手段と、
上記記憶手段に記憶された画像データを、出力する特性と上記判別手段の出力に応じて画像処理を施す画像処理手段とを備えたことを特徴とする画像処理装置。
【請求項２】
請求項１に記載の画像処理装置において、
上記読取画像補正手段により補正を施した画像データを上記記憶手段が記憶する際、上記属性を同時に記憶することを特徴とする画像処理装置。
【請求項３】
請求項１または２のいずれか一項に記載の画像処理装置において、
上記画像処理手段は、上記属性に応じて出力処理を変えることを特徴とする画像処理装置。
【請求項４】
請求項３に記載の画像処理装置において、
上記画像処理手段は、上記属性のカラー・モノクロ判別結果によって、出力する解像度を変えることを特徴とする画像処理装置。
【請求項５】
請求項３に記載の画像処理装置において、
上記画像処理手段は、上記属性のカラー・モノクロ判別結果によって、出力する階調数を変えることを特徴とする画像処理装置。
【請求項６】
請求項３に記載の画像処理装置において、
上記記憶手段に記憶されているカラーの画像データを簡易表示する際、上記属性のカラー・モノクロ判別結果がモノクロと判定されている画像に対しては、ＲＧＢで示される画像データのＧ信号のみを用いて表示することを特徴とする画像処理装置。
【請求項７】
原稿を読み取って電子画像データを得る画像読取工程と、
上記画像読取工程によって読み取られた画像データから、カラー原稿かモノクロ原稿かを含む属性を判別する判別工程と、
上記画像読取工程によって読み取られた画像データに対して、所定のデータ特性に補正を施す読取画像補正工程と、
上記読取画像補正工程によって補正を施した画像データを記憶する記憶工程と、
上記記憶工程で記憶された画像データを、出力する特性と上記判別工程の出力に応じて画像処理を施す画像処理工程とを備えたことを特徴とする画像処理方法。
【発明の詳細な説明】
【技術分野】
【０００１】
本発明は、原稿から読み取った画像を適切に処理する機能を備えた画像処理装置に関する。
【背景技術】
【０００２】
ＣＣＤ（Charge Coupled Device）ユニットからなるラインセンサ読取装置やレーザーによる書込装置の発展により、従来のアナログ複写機に対し、デジタル化された画像データの処理を行うデジタル複写機が登場した。
【０００３】
デジタル複写機は、コピー機能の他に、スキャナ機能、プリンタ機能、ファクシミリ機能等を搭載して、マルチ・ファンクションを制御するようになり、デジタル複合機（ＭＦＰ：Multi Function Printer）と呼ばれるようになった。
【０００４】
また、ＭＦＰはネットワークに接続されるとともに、出力データなどは装置内にあるＨＤＤ（Hard Disk Drive）などに保存されるようになり、これらＨＤＤに記憶されている画像データをネットワーク等を介して送受信できるようになった。
【０００５】
一方、オフィスの中でのＭＦＰの使われ方も多種・多様化してきている。例えば、ＰＣ（Personal Computer）の横にペアで設置され、各職務者が手軽に複写機・ファクシミリ・プリンター・スキャナの機能を使用することができる小型のＭＦＰがある。また、部署や課単位の複数名で共有され、ある程度の生産性やソート・パンチ・ステープル等の機能が使用できる中型のＭＦＰがある。更に、企業の中で複写関連業務を集中して行う部署や複写関連業務そのものを生業とする会社では、高生産性・高品位で、多機能な大型のＭＦＰが使用されている。
【０００６】
このように小型〜大型まで多様化してきているＭＦＰであるが、各クラスに亘って共有できる機能も存在する反面、クラスごとに要求が強い機能も存在する。例えば、大型ＭＦＰではパンチ・ステープル・紙折り等、プロット後の紙に対する後加工や、複写業務と同時に電子ファイリング化すること等が求められ、小型ＭＦＰではインターネットＦＡＸやＰＣ−ＦＡＸ等の充実や、パーソナル的な使用目的として、専用紙に対する高品位画像印刷等が求められる。このような多種・多様化してきているＭＦＰ市場に対して、従来は各クラスに必要な機能をセットにしたシステムを構築し、販売・提供していた。
【０００７】
ビジネスにおける情報価値の重要性は既に認知されており、情報を早く・正確に・確実に伝えるだけでなく、分かりやすく・効果的に伝えることも要求されている。通信技術の高速化／普及化、メモリの大容量化／低コスト化／小型化、ＰＣの高性能化等にともない、デジタルデータを利用した情報を効率的に扱う新しい機能が提供されてきており、デジタルデータの一部であるデジタル画像データを扱うＭＦＰにも、新機能の提供や融合が望まれてきている。
【０００８】
一方、特許文献１には、コピー機能、スキャナ機能、プリンタ機能、ファクシミリ機能などのマルチ・ファンクションを制御する画像処理装置およびその出力方法に関し、走査の煩雑さ、原稿劣化を解消し、原稿の手離れを改善し、最適な画質を得る技術が開示されている。特許文献２には、転送方法の異なる回線よりのデータおよび入力されたデータを指定された転送先に転送または印刷出力させる入出力装置が開示されている。特許文献３には、スキャナ固有の色空間を標準色空間に変換し、標準色空間をプリンタ固有の色空間に変換する技術が開示されている。特許文献４には、カラーデジタル複写機やカラープリンタ、ファクシミリ装置などの画像形成に用いられる画像処理装置、画像読取装置、画像形成装置および複写装置に関し、特に、原稿から読み取った画像データに基づいて、原稿がカラー原稿であるか、または白黒原稿であるかを判定する画像処理装置、画像読取装置、画像形成装置および複写装置が開示されている。
【特許文献１】特開２００１−２２３８２８号公報
【特許文献２】特開２００１−２５１５２２号公報
【特許文献３】特開平６−０５４１７６号公報
【特許文献４】特開２００４−１１２７２５号公報
【発明の開示】
【発明が解決しようとする課題】
【０００９】
ところで、ＭＦＰにおいての出力というのは、前述したように、コピーのように紙への出力のほかに、スキャナやＦＡＸ送信のように、電子データにおける送信がある。電子データによる送信でも、用途に応じて、出力における出力形式というのは異なる。例えば、ＦＡＸなどはモノクロ２値による画像データ形式となるが、スキャナなどは、例えば、カラーＲＧＢ（Red,Green,Blue）による画像データであったりする。
【００１０】
このように、ＭＦＰはさまざまな出力手段によって画像データを出力するわけだが、このとき、それぞれの出力手段は異なる出力特性を持っている。紙出力であれば書込ユニットの特性、スキャナ配信では表示するディスプレイの特性など、さまざまである。
【００１１】
また、ＭＦＰの機能の一つとして、読取原稿がカラー原稿かモノクロ原稿かを見分け、モノクロ原稿であればモノクロ出力を、カラー原稿であればカラー出力を施す機能が備わっているものがある。
【００１２】
これら装置の方式には、プレスキャンを用いて予め原稿がカラー原稿かモノクロ原稿かを判別し、その後、再度原稿をスキャンして原稿の判定結果に基づいた処理を施している。しかし、この場合、必然的に原稿を２度読み取る必要があり、原稿が複数枚あるときなど、読取の原稿送り装置が紙詰まりなどで止まってしまった場合、判定結果と読み取り枚数との間に整合性がとれなくなってしまうなどの問題があった。また、２度読むことにより時間が倍かかってしまうなどの問題もあった。
【００１３】
また、プレスキャンをせずに、原稿を読み取るのと同時にカラー画像とモノクロ画像を生成する方式もある。しかし、コピーを行う際、ＣＭＹＫ（Cyan,Magenta,Yellow,blacK）画像を生成し、判定結果がモノクロだけならＫ信号のみを、カラー原稿ならＣＭＹＫ信号を使って画像生成するのだが、このときのＣＭＹＫデータはＫ信号によるモノクロ単独の画像データでも成り立つようなＣＭＹＫ画像を生成するため、カラー原稿用、モノクロ原稿用に専用に画像処理された画像データとは異なり、結果、画質に劣化が起こってしまうという問題があった。また、この方式の場合、ＰＣなどに画像データとして送信する場合だと、カラー画像はＲＧＢ画像で、モノクロはＫ画像というように生成する必要があり、２種類の画像を同時に形成する必要が出てしまうという問題があった。
【００１４】
本発明は上記の従来の問題点に鑑み提案されたものであり、その目的とするところは、１度の読み取り動作で判定結果およびその原稿の画像データを取得し、判定結果に応じて最適な画像処理を施すことが可能な画像処理装置を提供することにある。
【課題を解決するための手段】
【００１５】
上記の課題を解決するため、本発明にあっては、請求項１に記載されるように、原稿を読み取って電子画像データを得る画像読取手段と、上記画像読取手段によって読み取られた画像データから、カラー原稿かモノクロ原稿かを含む属性を判別する判別手段と、上記画像読取手段によって読み取られた画像データに対して、所定のデータ特性に補正を施す読取画像補正手段と、上記読取画像補正手段によって補正を施した画像データを記憶する記憶手段と、上記記憶手段に記憶された画像データを、出力する特性と上記判別手段の出力に応じて画像処理を施す画像処理手段とを備える画像処理装置を要旨としている。
【００１６】
また、請求項２に記載されるように、請求項１に記載の画像処理装置において、上記読取画像補正手段により補正を施した画像データを上記記憶手段が記憶する際、上記属性を同時に記憶するようにすることができる。
【００１７】
また、請求項３に記載されるように、請求項１または２のいずれか一項に記載の画像処理装置において、上記画像処理手段は、上記属性に応じて出力処理を変えるようにすることができる。
【００１８】
また、請求項４に記載されるように、請求項３に記載の画像処理装置において、上記画像処理手段は、上記属性のカラー・モノクロ判別結果によって、出力する解像度を変えるようにすることができる。
【００１９】
また、請求項５に記載されるように、請求項３に記載の画像処理装置において、上記画像処理手段は、上記属性のカラー・モノクロ判別結果によって、出力する階調数を変えるようにすることができる。
【００２０】
また、請求項６に記載されるように、請求項３に記載の画像処理装置において、上記記憶手段に記憶されているカラーの画像データを簡易表示する際、上記属性のカラー・モノクロ判別結果がモノクロと判定されている画像に対しては、ＲＧＢで示される画像データのＧ信号のみを用いて表示するようにすることができる。
【００２１】
また、請求項７に記載されるように、原稿を読み取って電子画像データを得る画像読取工程と、上記画像読取工程によって読み取られた画像データから、カラー原稿かモノクロ原稿かを含む属性を判別する判別工程と、上記画像読取工程によって読み取られた画像データに対して、所定のデータ特性に補正を施す読取画像補正工程と、上記読取画像補正工程によって補正を施した画像データを記憶する記憶工程と、上記記憶工程で記憶された画像データを、出力する特性と上記判別工程の出力に応じて画像処理を施す画像処理工程とを備える画像処理方法として構成することができる。
【発明の効果】
【００２２】
本発明の画像処理装置にあっては、１度の読み取り動作で判定結果およびその原稿の画像データを取得し、判定結果に応じて最適な画像処理を施すことが可能となる。
【発明を実施するための最良の形態】
【００２３】
以下、本発明の好適な実施形態につき図面を参照して説明する。
【００２４】
図１は本発明の一実施形態にかかるデジタル複写機の構成例を示す図である。このデジタル複写機は、本発明の画像処理装置を実施するものであり、いわゆる複合機（ＭＦＰ）である。
【００２５】
図１において、デジタル複写機は、原稿から画像を読み取って電子画像データを得る画像読取部１（ＣＣＤ光電変換素子からなるラインセンサとＡ／Ｄコンバータとそれらの駆動回路とを具備）と、読み取った画像データに対して所定のデータ特性に補正を施す読取画像補正部２と、装置内に記憶された画像データに対し、出力する特性に応じて画像処理を施す画像処理部３と、用紙等に画像をプロットする画像書込部４とを備えている。これらの読取画像補正部２、画像処理部３、および画像書込部４は画像データ拡張バス５に接続されている。また、画像データ拡張バス５には、画像データ拡張バス制御部６を介してメモリ７とＨＤＤ８とが接続され、画像データの一時的・永続的な記憶を行えるようになっている。更に、画像データ拡張バス５には、外部Ｉ／Ｆ制御部９を介して、外部ＰＣ１３等と通信を行うＮＩＣ１０と、ＦＡＸ通信を行うＦＡＸ部１１と、ユーザにより操作される操作部１２とが接続されている。
【００２６】
図２はデジタル複写機の処理例を示す図であり、原稿を複写する際に原稿を読み取って印刷出力するまでの一連の処理を示している。
【００２７】
図２において、まず、画像読取部１では原稿から画像の読取処理を行う（ステップＳ１）。すなわち、画像読取部１はセットされた原稿をスキャンすることで、原稿の濃淡情報をＲＧＢ各８ビットからなるデジタル画像データを生成し、出力する。読み取られた画像データは読取画像補正部２へ与えられる。
【００２８】
次いで、読取画像補正部２では読み取られた画像データから、カラー原稿かモノクロ原稿かを含む属性を判別するとともに、読み取られた画像データに対して、所定のデータ特性に補正を施す（ステップＳ２）。
【００２９】
図３は読取画像補正部２における処理例を示す図である。図３において、読取画像補正部２は、画像読取部１によって読み取られた画像データ（読取画像データ）に対し、原稿の持つ特徴的なエリアの抽出を含む像域分離処理を施す（ステップＳ２１）。例えば、一般的な印刷によって形成されている網点部の抽出、文字などのエッジ部の抽出、その画像データの有彩（カラー）／無彩（モノクロ）の判定、背景画像が白であるかの白背景の判定などを行い、判定結果を出力する。このように、像域分離処理（ステップＳ２１）においては、原稿の特徴的な領域を判定するほかに、原稿そのものの特質を判定する処理も備わっており、前述した特許文献４に示される機能のような、原稿がカラー原稿かもしくは白黒原稿かを判別する手段も備えている。なお、その判定結果は、後述するように読取画像補正部２で処理された画像データがメモリ７もしくはＨＤＤ８に格納されるときに一緒に画像データの書誌情報として保存され、画像処理部３で出力のための処理を施すときに利用される。例えば、読み取った原稿がカラー原稿と判定されていれば、カラー画像として印刷出力用の画像処理を施す。また、原稿が白黒原稿と判定されているならば、画像処理部３はＲＧＢカラー画像をモノクロ画像への出力となるように処理を施す。
【００３０】
一方、画像読取部１によって読み取られた画像データ（読取画像データ）に対し、スキャナγ処理を施す（ステップＳ２２）。このスキャナγ処理では、画像読取部１のγ特性から、標準的な特性への画像γ変換を行う。
【００３１】
次いで、スキャナγ処理の行われた画像データに対し、フィルタ処理を施す（ステップＳ２３）。このフィルタ処理は、画像データの持つ空間周波数を変換する役割を担う。また、像域分離処理（ステップＳ２１）の判定結果を用いて、その抽出部分ごとに特徴的なフィルタ処理を施す。例えば、網点部と検出されているエリアでは、網点を平滑するような平滑処理を施し、エッジ部で白背景であるならば、そのエリアは文字部であろうと推定して、ＭＴＦ（Modulation Transfer Function）特性のよくなるようなエッジ強調処理を施す。
【００３２】
次いで、フィルタ処理の行われた画像データに対し、色変換処理を施す（ステップＳ２４）。この色変換処理では、出力特性に合った色変換処理を施す。例えば、汎用ＲＧＢデータもしくは予め決められた色空間へのＲＧＢ変換を行う。
【００３３】
図２に戻り、読取画像補正処理（ステップＳ２）の行われた画像データに対し、画像蓄積処理を施す（ステップＳ３）。すなわち、メモリ７および必要に応じてＨＤＤ８に画像データを蓄積する。このとき、画像データと一緒に、像域分離処理（ステップＳ２１）の判定結果も同時に保存される。なお、メモリ７では、画像読取部１におけるラインスキャナによって読み取られた画像データを読取画像補正部２を介して画像処理部３に転送する際、転送速度とそのときの処理、例えば、画像読取部１で読み取りしているときに、画像処理部３では別の処理が施されているときに、メモリ７に画像データが保持される。また、ＨＤＤ８の作用は、主としてメモリ７の容量オーバーを解消するためである。すなわち、画像読取部１によって原稿が読み取られ続けている間、プロッタなどの画像書込部４に画像データを同タイミングで送り続けることができるなら良いが、実際、出力準備中などの場合は結果的に画像データが入力される一方で出力できない状態となってしまい、限りあるメモリ７の容量を超えてしまう。メモリ７が十分にあればいいが、単純にハードのコストアップとなってしまう。そこで、大容量のＨＤＤ８に画像データを一旦格納し、このメモリ７の容量オーバーを解消するようにしている。なお、画像データ拡張バス５は各モジュールが共有し、その入出力を調整する画像データ拡張バス制御部６によって制御される。記憶媒体であるＲＡＭなどのメモリ７やＨＤＤ８などもこの画像データ拡張バス制御部６に接続されており、適宜制御される。
【００３４】
次いで、画像蓄積処理（ステップＳ３）を経た画像データに対し、画像処理部３は画像処理を施す（ステップＳ４）。すなわち、画像処理部３はメモリ７から画像データを受け取り、蓄積された画像データの特性から紙出力を行うための画像書き込み特性、例えば、カラー書込装置だとするとＣＭＹＫ画像へと変換する。
【００３５】
図４は画像処理部３における処理例を示す図である。図４において、入力データには画像データと像域分離処理（ステップＳ２１）の判定結果のデータが含まれており、まず、画像処理部３は判定結果を用いて画像書込部４のＭＴＦ特性に合うようにフィルタ処理を施す（ステップＳ４１）。前述した読取画像補正部２内におけるフィルタ処理（ステップＳ２３）では、メモリ７もしくはＨＤＤ８などに蓄積するために予め定められた特性に補正されているが、今回のフィルタ処理（ステップＳ４１）では予め定められた蓄積画像特性から画像書込部４の画像特性となるように変換を行う。また、原稿の特徴を示す判定結果を用いて、特徴に応じた変換を施す。
【００３６】
次いで、フィルタ処理（ステップＳ４１）が施された画像データに対し、色変換処理を施す（ステップＳ４２）。ここでもまた、像域分離処理の判定結果を用いて、例えば、無彩であるならば黒文字と仮定でき、それに基づいてＣＭＹＫ変換を行うときに、墨単色処理（ＲＧＢ→Ｋ変換）を施すことができる。そのほかの処理においても、モノクロ画質用の最適なパラメータを用いて処理を施すことで、原稿がモノクロと判定された原稿については、読取がカラーであっても、出力するときのモノクロ画像への形成が可能となる。
【００３７】
次いで、色変換処理（ステップＳ４２）が施された画像データに対し、任意の変倍処理のための解像度変換処理を施す（ステップＳ４３）。
【００３８】
次いで、解像度変換処理（ステップＳ４３）が施された画像データに対し、予め定められた蓄積画像特性から出力特性へのγ変換を行うγ処理を施す（ステップＳ４４）。
【００３９】
次いで、γ処理（ステップＳ４４）が施された画像データに対し、画像書込部４の特性に合うような階調処理である中間調処理を施す（ステップＳ４５）。例えば、ディザ処理や誤差拡散処理を施す。また、画像書込部４の階調の深さ（ビット数）の変換もここで行う。例えば、１ｂｉｔの出力であるならば、ここで、入力された８ｂｉｔの信号に対してディザ処理を行いながら１ｂｉｔ化を行う。
【００４０】
なお、上記の画像処理部３の処理は、複写機能として、初期設定がカラー／モノクロ判定を利用するモードとなっている場合、もしくは、使用するユーザが予めカラー／モノクロ判定を使用した出力を望む場合の処理であるが、もちろんの事ながら、判定結果に依存せず、原稿をカラー印刷として、もしくは、モノクロ印刷として任意に出力することも可能である。その場合は、画像処理部３に含まれる各処理がそれぞれ望まれる画質特性となるように動作することになる。
【００４１】
図２に戻り、画像処理（ステップＳ４）の行われた画像データに対し、画像蓄積処理を施す（ステップＳ５）。すなわち、メモリ７および必要に応じてＨＤＤ８に画像データを蓄積する。なお、メモリ７では、画像処理部３で画像処理された画像データを画像書込部４に転送する際、転送速度とそのときの処理、例えば、画像処理部３で画像処理しているときに、画像書込部４の処理タイミングが合わないときに、メモリ７に画像データが保持される。また、ＨＤＤ８の作用は、主としてメモリ７の容量オーバーを解消するためである。すなわち、画像処理部３から画像書込部４へのデータの転送は画像データ拡張バス５を経由して行われるが、そのとき、これらを制御しているタイミングによっては、例えば、画像処理部３によって施された画像データを画像書込部４で出力しようとしても、エンジンプロッタの状態ではまだ紙出力への準備ができていないことがある。そのような時は一旦メモリ７を通してＨＤＤ８に画像データを保持する。
【００４２】
次いで、画像蓄積処理（ステップＳ５）を経た画像データに対し、画像書込部４は画像書込処理を行う（ステップＳ６）。すなわち、画像書込部４はＣＭＹＫからなるデジタル画像データを受け取ると、レーザービームを用いた電子写真プロセスを使って、受け取った画像データを転写紙に出力する。
【００４３】
上述した図２のフローでは、原稿の読取と同時に紙出力を行う複写の場合について説明したが、原稿を読み取った画像データを再利用のためにデバイス依存しない形式で蓄積することもできる。この場合のフローは、図２における画像蓄積処理（ステップＳ３）と画像処理（ステップＳ４）とが連続しないものとなる。また、その前段では、画像読取処理（ステップＳ１）において原稿がスキャナなどの画像読取部１により画像データとして形成されたのち、読取画像補正処理（ステップＳ２）において、読取画像補正部２によりデバイス依存しない画像データに変換される。このデバイスに依存しない画像データの特性としては、例えば、色空間であれば、標準色空間であるｓＹＣＣや、ＡｄｏｂｅＲＧＢ空間、または、予め定められたＲＧＢ空間とすることができる。また、空間周波数なども定めることができる。読取画像補正部２ではそのような特性となるように変換を行う。その後、画像データ拡張バス５を介して、ＨＤＤ８に補正後の画像データを蓄積する（ステップＳ３）。
【００４４】
また、読取画像補正部２における像域分離処理（ステップＳ２１）でカラー／モノクロ判定を行う条件についてだが、ユーザが望もうが、望まないにしても、判定結果を出力して、画像データと一緒に書誌情報としてＨＤＤ８へ保存することができる。このようにすることで、もし、画像出力を行いながら、画像データのＨＤＤ８内への保持を行った場合、その後、再度出力を施すときに、ユーザがその出力のときに限り自由にカラー／モノクロ判定結果を用いた出力を行うか否かを選択することができ、その選択結果に応じて印刷出力を行うことが可能となる。
【００４５】
その後、蓄積された画像データを用いて紙出力する場合、蓄積された画像データはＨＤＤ８内にあり、それをメモリ７、画像データ拡張バス制御部６を介して画像処理部３に転送する。このとき。画像処理部３では、紙出力が目的であることから、デバイス依存しない形式の特性から画像書込部４の特性に合った画像処理変換を行う（ステップＳ４）。その後、一旦メモリ７および必要に応じてＨＤＤ８を介してから（ステップＳ５）、画像書込部４によって紙出力を行う（ステップＳ６）。
【００４６】
次に、図５は画像データ配信の処理例を示す図である。すなわち、蓄積された画像データを用いて、外部ＰＣへの画像データ配信の処理フローを示したものであり、カラー／モノクロ判定結果を用いた出力フローとなっている。なお、蓄積されているデータは例えば６００ｄｐｉ：ＲＧＢデータであり、カラー・モノクロ判定結果を書誌情報として予め持っているものとする。また、カラー判定された原稿においては、ｓＲＧＢ：３００ｄｐｉによる出力を、モノクロ判定された原稿においては、モノクロ２値：２００ｄｐｉで処理されたデータとして出力をすることとする。
【００４７】
図５において、まず、ＨＤＤ８に蓄積されている画像データを一旦メモリ７に読み出す（ステップＳ１０１）。
【００４８】
次いで、メモリ７に読み出した画像データを画像処理部３に転送する前に、画像データと一緒に蓄積されていた書誌情報を閲覧し、カラー判定された原稿か、モノクロ判定された原稿かを確認する（ステップＳ１０２）。この確認結果が仮にカラー原稿である場合は、画像データを画像処理部３に転送した上で、画像処理部３では、ｓＲＧＢ：３００ｄｐｉの画像へ変換する。具体的には、前述した図４において、フィルタ処理（ステップＳ４１）で適切な処理、例えば、ディスプレイに合った特性へと変換を行った後に、色変換処理（ステップＳ４２）において、蓄積されているＲＧＢの色空間からｓＲＧＢ空間へとなるように変換を行い、その後、解像度変換処理（ステップＳ４３）において６００ｄｐｉから３００ｄｐｉへの解像度変換を行う。その後、γ処理（ステップＳ４４）、中間調処理（ステップＳ４５）を経て画像データを出力する。
【００４９】
また、図５において、確認結果が仮にモノクロである場合は、同様にモノクロ出力として最適となるように画像処理部３は動作する。具体的には、図４におけるフィルタ処理（ステップＳ４１）において適切な処理を施した後、色変換処理（ステップＳ４２）において、蓄積されているＲＧＢ空間からモノクログレースケールへ変換する。この後、解像度変換処理（ステップＳ４３）において６００ｄｐｉから２００ｄｐｉへ解像度変換し、γ処理（ステップＳ４４）を経て、中間調処理（ステップＳ４５）においてモノクロ２値画像への変換を行う。このときの２値化変換には、ある閾値との大小関係による比較において２値化を行う単純２値化処理、誤差拡散法を用いた２値化処理などを行うことで、モノクロ２値：２００ｄｐｉ画像を出力する。このように原稿の判定結果に応じ、色変換だけではなく、所望する画像形式へ、例えば、カラーとモノクロ画像において異なった解像度による出力、モノクロ画像のみ２値化処理などを施すことが可能である。
【００５０】
図５に戻り、このようにして画像処理部３において処理された画像データは、メモリ７および必要に応じてＨＤＤ８に一旦保持した後（ステップＳ１０５）、外部Ｉ／Ｆ制御部９を介して、ＮＩＣ１０よりネットワークを経由して、所定の外部ＰＣ１３へ転送する（ステップＳ１０６）。
【００５１】
次に、画像読取部１で一度読み取った画像データがＨＤＤ８などの記憶装置に蓄積されている場合に、蓄積画像を操作部などのディスプレイに表示する場合の処理について説明する。
【００５２】
蓄積されている画像データで用いられる色空間がＡｄｏｂｅＲＧＢなど標準画像空間であるとすると、このとき、操作部などのディスプレイに表示するにはその特性、例えばｓＲＧＢ空間に対応しているとすればその空間に変換するのが画質的には最もよい。この場合の変換処理は前述したように画像処理部３で行うことができる。しかし、プレビューなど、蓄積されている画像が大まかに認識できればよいなど、用途として画質に対して特にこだわらないのであれば、蓄積されている画像データをそのまま表示すればよい。これにより、画像処理部３における処理を省略することができる。
【００５３】
このとき、もし、カラー／モノクロ判定結果を用いた画像を表示したい場合、カラー原稿であれば、前述したとおりその画像データをそのまま用いればよいが、モノクロ原稿にする場合、カラーデータをモノクロデータに変換する必要がある。しかしながら、変換に対しては画像処理を要するのだが、ここで先にも述べたとおり画質にこだわらない場合、簡易グレースケール化を行えばよい。簡易グレースケール化としては、ＲＧＢ信号のＧ信号のみを使い、それをグレースケール出力信号として直接に操作部などのディスプレイに表示する。このような方式をとることで、カラー・モノクロ判定に応じた結果表示を簡易に確認用のディスプレイに表示することが可能となる。
【００５４】
以上説明したように、本発明にあっては、１度の読み取り動作で判定結果およびその原稿の画像データを取得することで、判定結果に応じて最適な画像処理を施すことが可能となる。
【００５５】
特に、原稿がカラー原稿かモノクロ原稿かを判定して一旦記憶し、その後にその情報を用いて画像処理を施すことにより、カラー原稿、モノクロ原稿への最適な画像処理を施すことが可能となる。一時蓄積して、その蓄積した画像に対して画像処理を施すことができる本発明においては、カラー・モノクロ判定のためのスキャン動作をする必要がなく、１度の画像読取のみで動作を終了することが可能となる。また、標準データとして蓄積されている画像データと一緒に記憶されているカラー・モノクロ判定信号を用いることにより、そのモノクロ特性、カラー特性それぞれの出力に最適な画像処理を施すことが可能となる。更に、その判定結果によって、出力する処理を各々に設定してユーザが好む処理を施すことも可能となる。
【００５６】
また、プレビューなど、判定結果に応じて画像データを簡易的に表示したい場合、モノクロ判定結果についての表示をカラー信号の１チャンネルであるＧ信号を用いることで、変換のための処理を簡易化でき、その結果、処理速度の向上につながる。
【００５７】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００５８】
【図１】本発明の一実施形態にかかるデジタル複写機の構成例を示す図である。
【図２】デジタル複写機の処理例を示す図である。
【図３】読取画像補正部における処理例を示す図である。
【図４】画像処理部における処理例を示す図である。
【図５】画像データ配信の処理例を示す図である。
【符号の説明】
【００５９】
１      画像読取部
２      読取画像補正部
３      画像処理部
４      画像書込部
５      画像データ拡張バス
６      画像データ拡張バス制御部
７      メモリ
８      ＨＤＤ
９      外部Ｉ／Ｆ制御部
１０    ＮＩＣ
１１    ＦＡＸ部
１２    操作部
１３    外部ＰＣ
【図１】
2007116272.tif 000003
【図２】
2007116272.tif 000004
【図３】
2007116272.tif 000005
【図４】
2007116272.tif 000006
【図５】
2007116272.tif 000007